(57)【要約】【課題】  撮像再生装置が複数の表示装置を備える場合に、利便性が高くかつ安全に使用できるようにすることを目的とする。【解決手段】  接眼して使用する第２の表示部３０８にのみ、所定のメニューを表示させる。特に、目の生体認証、視線入力ＡＦ用の視線キャリブレーション、パスワード設定のメニューを接眼して使用する第２の表示部３０８にのみ表示させる。また、接眼して使用する第２の表示部３０８、接眼しないで使用する第１の表示部３０７のうち、どちらか一方の表示部に、もしくは両方の表示部に、撮影した画像を再生表示させるかを撮影前、一時再生表示中、撮影後にユーザが設定する手段を備える。【選択図】  図３
2006295491.tif 000002
【特許請求の範囲】
【請求項１】
電子的に画像表示を行うことが可能な第１の表示部及び第２の表示部とを有し、前記第１の表示部は接眼せずに使用するように構成され、前記第２の表示部は接眼して使用するように構成された撮像再生装置であって、
撮影時または再生時のメニュー表示において、前記第２の表示部に所定のメニューを表示させるメニュー表示手段を有することを特徴とする撮像再生装置。
【請求項２】
前記メニュー表示手段は、撮影時または再生時のメニュー表示において、前記第２の表示部に目の生体認証の設定を行うメニューを表示させることを特徴とする請求項１に記載の撮像再生装置。
【請求項３】
前記メニュー表示手段は、撮影時または再生時のメニュー表示において、前記第２の表示部に視線入力ＡＦ用の視線キャリブレーションを行うメニューを表示させることを特徴とする請求項１または２に記載の撮像再生装置。
【請求項４】
前記メニュー表示手段は、撮影時または再生時のメニュー表示において、前記第２の表示部にパスワード設定を行うメニューを表示させることを特徴とする請求項１〜３の何れか１項に記載の撮像再生装置。
【請求項５】
電子的に画像表示を行うことが可能な第１の表示部及び第２の表示部と、再生画像を記憶するための画像記憶部とを有し、前記第１の表示部は接眼せずに使用するように構成され、前記第２の表示部は接眼して使用するように構成された撮像再生装置であって、
前記画像記憶部に記憶している画像を前記第１の表示部でのみ再生表示させるか、または前記第２の表示部のみで再生表示させるか、または前記第１の表示部及び前記第２の表示部の両方で再生表示させるかをユーザが選択するための再生表示選択手段を有することを特徴とする撮像再生装置。
【請求項６】
前記再生表示先の選択を撮影後に実行可能としたことを特徴とする請求項５に記載の撮像再生装置。
【請求項７】
前記再生表示先の選択を撮影前に実行可能としたことを特徴とする請求項５に記載の撮像再生装置。
【請求項８】
前記再生表示先の選択を撮影後の一時再生表示中に実行可能としたことを特徴とする請求項５に記載の撮像再生装置。
【請求項９】
前記記憶部に記憶された画像を、前記再生表示選択手段によって選択された表示部に再生表示させる画像再生表示手段を有することを特徴とする請求項５〜８の何れか１項に記載の撮像再生装置。
【請求項１０】
前記画像再生表示手段は、撮影直後にそのとき撮影した画像を前記記憶部から再生して、前記再生表示選択手段によって選択された表示部に一時再生表示させることを特徴とする請求項９に記載の撮像再生装置。
【請求項１１】
電子的に画像表示を行うことが可能な第１の表示部及び第２の表示部とを有し、前記第１の表示部は接眼せずに使用するように構成され、前記第２の表示部は接眼して使用するように構成された撮像再生装置の制御方法であって、
撮影時または再生時のメニュー表示において、前記第２の表示部に所定のメニューを表示させるメニュー表示工程を有することを特徴とする撮像再生装置の制御方法。
【請求項１２】
前記メニュー表示工程は、撮影時または再生時のメニュー表示において、前記第２の表示部に目の生体認証の設定を行うメニューを表示させることを特徴とする請求項１１に記載の撮像再生装置の制御方法。
【請求項１３】
前記メニュー表示工程は、撮影時または再生時のメニュー表示において、前記第２の表示部に視線入力ＡＦ用の視線キャリブレーションを行うメニューを表示させることを特徴とする請求項１１または１２に記載の撮像再生装置の制御方法。
【請求項１４】
前記メニュー表示工程は、撮影時または再生時のメニュー表示において、前記第２の表示部にパスワード設定を行うメニューを表示させることを特徴とする請求項１１〜１３の何れか１項に記載の撮像再生装置の制御方法。
【請求項１５】
電子的に画像表示を行うことが可能な第１の表示部及び第２の表示部と、再生画像を記憶するための画像記憶部とを有し、前記第１の表示部は接眼せずに使用するように構成され、前記第２の表示部は接眼して使用するように構成された撮像再生装置の制御方法であって、
前記画像記憶部に記憶している画像を前記第１の表示部でのみ再生表示させるか、または前記第２の表示部のみで再生表示させるか、または前記第１の表示部及び前記第２の表示部の両方で再生表示させるかをユーザが選択するための再生表示選択工程を有することを特徴とする撮像再生装置の制御方法。
【請求項１６】
前記再生表示先の選択を撮影後に実行可能としたことを特徴とする請求項１５に記載の撮像再生装置の制御方法。
【請求項１７】
前記再生表示先の選択を撮影前に実行可能としたことを特徴とする請求項１５に記載の撮像再生装置の制御方法。
【請求項１８】
前記再生表示先の選択を撮影後の一時再生表示中に実行可能としたことを特徴とする請求項１５に記載の撮像再生装置の制御方法。
【請求項１９】
前記記憶部に記憶された画像を、前記再生表示選択工程によって選択された表示部に再生表示させる画像再生表示工程を有することを特徴とする請求項１５〜１８の何れか１項に記載の撮像再生装置の制御方法。
【請求項２０】
前記画像再生表示工程は、撮影直後にそのとき撮影した画像を前記記憶部から再生して、前記再生表示選択工程によって選択された表示部に一時再生表示させることを特徴とする請求項１９に記載の撮像再生装置の制御方法。
【請求項２１】
電子的に画像表示を行うことが可能な第１の表示部及び第２の表示部とを有し、前記第１の表示部は接眼せずに使用するように構成され、前記第２の表示部は接眼して使用するように構成された撮像再生装置の制御方法をコンピュータに実行させるプログラムであって、
撮影時または再生時のメニュー表示において、前記第２の表示部に所定のメニューを表示させるメニュー表示工程を有する撮像再生装置の制御方法をコンピュータに実行させることを特徴とするコンピュータプログラム。
【請求項２２】
電子的に画像表示を行うことが可能な第１の表示部及び第２の表示部と、再生画像を記憶するための画像記憶部とを有し、前記第１の表示部は接眼せずに使用するように構成され、前記第２の表示部は接眼して使用するように構成された撮像再生装置の制御方法をコンピュータに実行させるプログラムであって、
前記画像記憶部に記憶している画像を前記第１の表示部でのみ再生表示させるか、または前記第２の表示部のみで再生表示させるか、または前記第１の表示部及び前記第２の表示部の両方で再生表示させるかをユーザが選択するための再生表示選択工程を有する撮像再生装置の制御方法をコンピュータに実行させることを特徴とするコンピュータプログラム。
【請求項２３】
前記請求項２１または２２に記載のコンピュータプログラムを記録したことを特徴とするコンピュータ読み取り可能な記録媒体。
【発明の詳細な説明】
【技術分野】
【０００１】
本発明は撮像再生装置、撮像再生装置の制御方法、コンピュータプログラム及び記録媒体に関し、特に、複数の表示装置を有する撮像再生装置において、利便性が高く安全に使用するための好適な技術に関するものである。
【背景技術】
【０００２】
従来、撮像再生装置は、電子ビューファインダー（以下、ＥＶＦとする）と液晶ディスプレイ（以下、ＬＣＤとする）といったように、複数の表示装置を有する場合がある。
【０００３】
例えば、特許文献１で開示されている撮像再生装置の場合は、覗き込み型のＥＶＦ及びこれよりも大きな表示画面を持つＬＣＤを有し、前記ＥＶＦは撮影モード時にはＣＣＤから出力された画像をスルー画像として表示する。また、前記ＬＣＤは再生モード時には記録媒体から再生される記録画像を表示し、撮影モード時にはＥＶＦの表示画像とは異なる画像や電子カメラの状態を示す情報を表示するようにしている。
【０００４】
一方、ある表示装置をライブ（リアルタイム）画像表示専用にしたり、ライブ画像表示と画像再生・メニュー表示と両方に利用したりと、それぞれの表示装置の使用目的は個々の撮像再生装置の仕様によって異なる。そのうちＬＣＤは、一般的にライブ画像表示と画像再生・メニュー表示と両方に使用されることが多い。
【０００５】
複数の表示装置に対して画像再生・メニュー表示の機能を持たせる場合、それぞれの表示装置上に表示される再生画像・メニューは全く同じである。つまり、それぞれの表示装置が持つ表示機能は全く同じで、撮像再生装置が表示先を選択しているに過ぎない。ユーザは画像再生時やメニュー表示時にはそれぞれの表示装置を同等のものとして扱っているため、利便性という観点からＬＣＤを使用することが多い。
【０００６】
【特許文献１】特開２００１−１６９１５０号公報
【発明の開示】
【発明が解決しようとする課題】
【０００７】
撮像再生装置が備えるメニューの内容によっては機能的にまたは機密性のために、特定の表示装置を使って設定を行う必要があるものがある。
【０００８】
機能的に特定の表示装置で設定が必要なものとしては、生体認証のための虹彩登録や視線入力ＡＦ用の視線キャリブレーションを行うメニューなどが考えられる。例えば、撮像再生装置がＥＶＦとＬＣＤとを備える場合、これらのメニューは機能上、ファインダー内で設定することになる。
【０００９】
これらのメニューの設定を行う場合、一般的にユーザは、接眼して使用する必要のないという点で、ＥＶＦより使いやすいＬＣＤ上でメニューを選択し、設定自体は接眼してＥＶＦで行っている傾向にあった。しかしこの場合、パラメータ設定や設定内容の確認をする度に、接眼してＥＶＦを覗いてメニューの設定を行う動作と、ＥＶＦから眼を離してＬＣＤ上でメニューを選択する動作とを繰り返し行っていたので、作業効率が悪かった。
【００１０】
例えば、機密性を考慮して特定の表示装置で設定することが望ましいものとしては、パスワードの設定を行うメニューが考えられる。パスワードの設定はＬＣＤ上でも行うことは可能であるが、他人に見られるという問題があった。特に、常に他人に見られる可能性が高い環境で設定を行うようなユーザの場合は、ＬＣＤ上で設定を行うことを可能にしておくこと自体、非常に危険である。
【００１１】
他人に見られる可能性がある表示装置でパスワードを設定する場合、文字キーやテンキーを備える情報機器の場合は、入力したパスワードを表示装置上で例えば「＊＊＊＊」というように不可視にすることによってセキュリティを実現している。
【００１２】
しかしながら、一般的な撮像再生装置には文字キーやテンキーが備えられていないため、撮像再生装置でパスワードを設定する場合は、十字キー等を利用して文字を選択して設定するしか方法がなかった。よって、「＊＊＊＊」というようにパスワードを不可視にすることもできないため、従来の撮像再生装置においてはパスワードが漏洩しやすいという問題があった。
【００１３】
また、撮像再生装置において複数の表示装置で画像の再生が可能な場合、従来の技術によれば、それぞれの表示装置に表示可能な画像はまったく同じであった。それゆえ、ＬＣＤのような他人の目に入る表示装置上では、機密性の高い画像やプライベートな画像のように他人の前で再生表示したくない時に、そういった画像をＬＣＤで再生禁止にすると、ＬＣＤに加えてＥＶＦでの再生もできなくなってしまう問題があった。
【００１４】
つまり、従来は複数の表示装置のうち、一つの表示装置で再生禁止にすると、すべての表示装置での再生表示が禁止されてしまっていた。しかしながら、場合によってはＬＣＤ上での再生表示を禁止し、画像確認のためにＥＶＦでのみ再生表示させたいという要求があったが、従来はこのようなことを実現することが不可能であるという問題があった。
【００１５】
本発明は前述の問題点にかんがみ、接眼せずに使用する第１の表示部と接眼して使用する第２の表示部とを備える撮像再生装置において種々のメニューを設定する際に、ユーザにとって利便性の高いメニュー環境を提供できるようにすることを第１の目的としている。
また、接眼せずに使用する第１の表示部と接眼して使用する第２の表示部とを備える撮像再生装置における機密性を向上させて安全に使用できるようにすることを第２の目的とする。
【課題を解決するための手段】
【００１６】
本発明の撮像再生装置は、電子的に画像表示を行うことが可能な第１の表示部及び第２の表示部とを有し、前記第１の表示部は接眼せずに使用するように構成され、前記第２の表示部は接眼して使用するように構成された撮像再生装置であって、撮影時または再生時のメニュー表示において、前記第２の表示部に所定のメニューを表示させるメニュー表示手段を有することを特徴とする。
また、本発明の撮像再生装置の他の特徴とするところは、電子的に画像表示を行うことが可能な第１の表示部及び第２の表示部と、再生画像を記憶するための画像記憶部とを有し、前記第１の表示部は接眼せずに使用するように構成され、前記第２の表示部は接眼して使用するように構成された撮像再生装置であって、前記画像記憶部に記憶している画像を前記第１の表示部でのみ再生表示させるか、または前記第２の表示部のみで再生表示させるか、または前記第１の表示部及び前記第２の表示部の両方で再生表示させるかをユーザが選択するための再生表示選択手段を有することを特徴とする。
【００１７】
本発明の撮像再生装置の制御方法は、電子的に画像表示を行うことが可能な第１の表示部及び第２の表示部とを有し、前記第１の表示部は接眼せずに使用するように構成され、前記第２の表示部は接眼して使用するように構成された撮像再生装置の制御方法であって、撮影時または再生時のメニュー表示において、前記第２の表示部に所定のメニューを表示させるメニュー表示工程を有することを特徴とする。
また、本発明の撮像再生装置の制御方法の他の特徴とするところは、電子的に画像表示を行うことが可能な第１の表示部及び第２の表示部と、再生画像を記憶するための画像記憶部とを有し、前記第１の表示部は接眼せずに使用するように構成され、前記第２の表示部は接眼して使用するように構成された撮像再生装置の制御方法であって、前記画像記憶部に記憶している画像を前記第１の表示部でのみ再生表示させるか、または前記第２の表示部のみで再生表示させるか、または前記第１の表示部及び前記第２の表示部の両方で再生表示させるかをユーザが選択するための再生表示選択工程を有することを特徴とする。
【００１８】
本発明のコンピュータプログラムは、電子的に画像表示を行うことが可能な第１の表示部及び第２の表示部とを有し、前記第１の表示部は接眼せずに使用するように構成され、前記第２の表示部は接眼して使用するように構成された撮像再生装置の制御方法をコンピュータに実行させるプログラムであって、撮影時または再生時のメニュー表示において、前記第２の表示部に所定のメニューを表示させるメニュー表示工程を有する撮像再生装置の制御方法をコンピュータに実行させることを特徴とする。
また、本発明のコンピュータプログラムの他の特徴とするところは、電子的に画像表示を行うことが可能な第１の表示部及び第２の表示部と、再生画像を記憶するための画像記憶部とを有し、前記第１の表示部は、接眼せずに使用するように構成され、前記第２の表示部は接眼して使用するように構成された撮像再生装置の制御方法をコンピュータに実行させるプログラムであって、前記画像記憶部に記憶している画像を前記第１の表示部でのみ再生表示させるか、または前記第２の表示部のみで再生表示させるか、または前記第１の表示部及び前記第２の表示部の両方で再生表示させるかをユーザが選択するための再生表示選択工程を有する撮像再生装置の制御方法をコンピュータに実行させることを特徴とする。
【００１９】
本発明記録媒体は、前記に記載のコンピュータプログラムを記録したことを特徴とする。
【発明の効果】
【００２０】
本発明によれば、接眼せずに使用する第１の表示部と、接眼して使用する第２の表示部とを備えた撮像再生装置において、所定のメニューを第２の表示部だけに表示するようにしたので、機能的に特定の表示装置で設定が必要である生体認証のための虹彩登録や視線入力ＡＦ用の視線キャリブレーションをメニューで設定する際に、ユーザは接眼して第２の表示部を覗くだけの状態で設定を完了することができる。これにより、第１の表示部と第２の表示部とを交互に見ながら設定の確認をする動作を規制することができ、利便性の高いメニュー環境をユーザに提供することができる。
【００２１】
また、本発明の他の特徴によれば、パスワード設定のような他人に見られると危険なものについては、接眼して使用する第２の表示部でのみ表示するようにしたので、パスワードの漏洩を防いで機密性を向上させることができる。
【００２２】
また、本発明のその他の特徴によれば、記憶部内に記憶された記録画像に対して、記録画像を接眼せずに使用する第１の表示部でのみ再生表示させるか、接眼して使用する第２の表示部でのみ再生表示させるか、両方で再生表示させるかを選択することができるようにしたので、他人に見せたくない機密性の高い画像やプライベート画像を第２の表示部でのみ再生表示させるようにすることにより、他人の目に入らないようにすることができる。
また、第１の表示部と第２の表示部との両方へ再生表示するのを禁止することができるようにしたので、機密性が非常に高い画像については、再生を完全に禁止することもでき、画像の性質に応じて表示先、及び表示の可否を適宜設定することが可能な画像再生装置を提供することができる。
【発明を実施するための最良の形態】
【００２３】
（第１の実施の形態）
以下、図面を参照して本発明の実施の形態を詳細に説明する。
図１、２で、本発明の特徴を簡潔に説明する。
【００２４】
図１は、本実施の形態における第１の表示装置と第２の表示装置とを備える撮像再生装置（以下、本実施の形態においてはカメラとする）において、カメラが起動後にメニューの表示処理を行う手順の一例を説明するフローチャートである。
【００２５】
図１において、カメラが起動した後に、メニューボタンが押下される（ステップＳ１０１）とメニュー表示処理が開始される。次に、第１の表示装置がＯＮであるかどうかを判断する（ステップＳ１０２）。この判断の結果、第１の表示装置がＯＮの場合は第１の表示装置に表示用メニューを表示し（ステップＳ１０３）、メニュー表示処理を終了する。また、ステップＳ１０２の判断の結果、第１の表示装置がＯＦＦの場合は第２の表示装置に表示用メニューを表示し（ステップＳ１０４）、メニュー表示処理を終了する。
【００２６】
図２は、本実施の形態における第１の表示装置と第２の表示装置とを備えるカメラにおいて、カメラが起動後に再生画像の表示処理を行う手順の一例を説明するフローチャートである。
【００２７】
図２において、カメラが起動後に、再生ボタンが押下される（ステップＳ２０１）と再生画像の表示処理が開始される。次に、第１の表示装置がＯＮであるかどうか判断する（ステップＳ２０２）。この判断の結果、第１の表示装置がＯＮの場合は第１の表示装置に表示用の画像を再生表示する（ステップＳ２０３）。また、ステップＳ２０２の判断の結果、第１の表示装置がＯＦＦの場合はステップＳ２０４の処理にジャンプする。
【００２８】
次に第２の表示装置がＯＮであるかどうか判断（ステップＳ２０４）する。この判断の結果、第２の表示装置がＯＮの場合は第２の表示装置に表示用の画像を再生表示し（ステップＳ２０５）、再生画像の表示処理を終了する。また、ステップＳ２０４の判断の結果、第２の表示装置がＯＦＦの場合は、そのまま再生画像の表示処理を終了する。
【００２９】
図３は、本実施の形態として、カメラ３００の構成例を示す図である。
図３において、３０１はレンズ、シャッター、絞り、ＣＣＤ等を含む撮像部である。３０２は撮像部３０１で撮像したアナログ映像信号をデジタル画像データに変換するＡ／Ｄ変換器である。３０３は信号処理回路で、Ａ／Ｄ変換器３０２から出力された画像データに対してガンマ補正やＷＢ等の処理を行って、バス３０４に出力し画像データはメモリ３０６に記憶される。
【００３０】
３０５は圧縮回路で、周知のＪＰＥＧフォーマットに従い、画像信号を圧縮・符号化する。３０６はメモリで、信号処理回路３０３から入力された画像信号を記憶し、バス３０４、３０９を介して各装置の回路に対して出力する。また、各回路からの画像信号を記憶する。
【００３１】
３０７は液晶ディスプレイ（ＬＣＤ）及びその駆動部等からなる第１の表示部であり、メモリ３０６から入力される画像、あるいは記憶デバイス３１１に記憶された画像、あるいはメニュー画面を表示する。
【００３２】
３０８は電子ビューファインダー（ＥＶＦ）及びその駆動部等からなる第２の表示部であり、第１の表示部３０７と同様に、メモリ３０６から入力される画像、あるいは記憶デバイス３１１に記憶された画像、あるいはメニュー画面を表示する。
【００３３】
３１０はカメラ３００の動作の操作・制御を行う操作部であり、メニューボタンや再生ボタンといった各種のスイッチを持つ。３１１はＭＰＵ（Micro Processing Unit）で、不図示のメモリに記憶されたソフトウェアに従って、装置の各回路を制御する。
【００３４】
３１２は記憶デバイスで、カメラ３００から着脱可能なフラッシュメモリカード等であり、バス３０９を介して入力される画像信号を記憶し、また記憶された画像信号を読み出し、バス３０９介して各回路に出力する。
【００３５】
３１３は外部通信用のインターフェースであり、ＵＳＢ（Universal Serial Bus）、ＩＥＥＥ１３９４、無線ＬＡＮ、Bluetooth等の伝送路３１４介して外部情報機器３１５との間で画像信号の転送を行う。
【００３６】
図４は、本実施の形態として、カメラの外見的構成例を示す図である。
図４において、カメラ４０１は以下のように構成される。４０２は鏡筒であり、内部にレンズを有し、沈胴してズーム等を行う。４０３はシャッターボタンであり、これを押下することにより撮像を行う。
【００３７】
４０４は電子ビューファインダー（ＥＶＦ）であり、図３の第２の表示部３０８に該当する。ライブ画像・メニュー表示・画像再生のすべてを行うことができる。４０５は液晶ディスプレイ（ＬＣＤ）であり、図３の第１の表示部３０７に該当する。ＥＶＦ４０４と同様に、ライブ画像・メニュー表示・画像再生のすべてを行うことができる。ただし、メニュー表示時においては、ＥＶＦ４０４とＬＣＤ４０５はどちらかしかＯＮにすることはできない。
【００３８】
４０６は十字操作キーであり、メニュー画面や画像再生において任意の選択をする場合に用いる。４０７はメニューボタンであり、ＥＶＦ４０４、ＬＣＤ４０５の各表示装置にメニュー画面を表示させる場合や、メニュー画面を終了する場合に用いる。４０８は再生ボタンであり、カメラ４０１を再生モードに変更し、画像の再生を可能にする。
【００３９】
４０９はＥＶＦ４０４用ＯＮ／ＯＦＦボタンであり、４１０はＬＣＤ４０５用ＯＮ／ＯＦＦボタンである。再生時にはＥＶＦ４０４用ＯＮ／ＯＦＦボタンまたはＬＣＤ４０５用ＯＮ／ＯＦＦボタンを用いると、ＥＶＦ４０４とＬＣＤ４０５とを自由にＯＮ／ＯＦＦできるので、同時に二つの表示装置をＯＮにすることも可能である。また、撮影直後の一時再生表示の時は、その時に一時再生表示がＯＮになっている表示装置で一時再生表示が可能である。
【００４０】
ただし、前述したとおり、メニュー表示時にはＥＶＦ４０４とＬＣＤ４０５のうち、どちらか一方しかＯＮにできない。ＥＶＦ４０４がＯＮの状態でＬＣＤ４０５がＯＮにされると、自動的にＥＶＦ４０４はＯＦＦになり、ＬＣＤ４０５に表示が切り替えられることになる。その逆も同様である。
【００４１】
また、メニューボタン押下時にＥＶＦ４０４とＬＣＤ４０５と両方がＯＦＦになっていた場合はＬＣＤ４０５が自動的にＯＮになる。メニューボタン押下時にＥＶＦ４０４とＬＣＤ４０５と両方がＯＮになっていた場合はＥＶＦ４０４が自動的にＯＦＦになり、ＬＣＤ４０５のみＯＮになる。また、メニュー実行中に表示装置の切り替えを行うことはできない。
【００４２】
以下、本実施の形態は図１のフローチャートに従って、それぞれの表示装置にメニューを表示させる例である。第２の実施の形態は、ユーザの設定に従ってカメラ３００に記憶された任意の画像を特定の表示装置に表示させる例である。第３の実施の形態は、ユーザの設定に従って以後撮影する画像を特定の表示装置に表示させる例である。また、第４の実施の形態は、撮影した直後に一時再生表示を行い、撮影した画像をユーザの設定に従って一時再生表示中に特定の表示装置に表示させる例である。
【００４３】
第１の実施の形態について説明をしているが、本実施の形態は、複数の表示装置を備えるカメラ３００において、メニュー表示時に生体認証の目の虹彩登録、視線入力ＡＦ用の視線キャリブレーション、再生制限解除用のパスワード登録のメニューをＥＶＦ４０４にのみ表示させる例である。
【００４４】
一般的にカメラとしてＵＩ（User Interface）上に備えるべきメニューとして、
（１）時刻設定、
（２）各種音設定、
（３）画像サイズ・画質の設定、
（４）言語設定、
等があるが、これらの一般的なメニューに加え、本実施の形態におけるカメラ３００は仕様として、下記のメニューを備える。
（５）使用者認証用の虹彩登録、
（６）視線入力ＡＦ用の視線キャリブレーション、
（７）再生制限用のパスワード登録。
【００４５】
前記に示すメニューのリストアップが完了したあと、それぞれのメニューをＥＶＦ４０４とＬＣＤ４０５のどちらに、または両方に表示させるかを決める。
【００４６】
図５は、それぞれのメニューについて表示先を示したリストを示す図である。
図５において、リストアップされたメニューのうち時刻設定、各種音設定、画像サイズ・画質の設定、言語設定メニューについては、どちらに表示させてもかまわないメニューであるため、ＥＶＦ４０４とＬＣＤ４０５との両方に表示させるようにする。
【００４７】
一方、使用者認証用虹彩登録及び視線入力ＡＦ用の視線キャリブレーションのメニューについては、ＥＶＦ４０４に接眼しないと行うことができないメニューであるため、ＥＶＦ４０４にのみメニュー表示させるようにする。また、再生制限用のパスワード登録メニューについても、セキュリティを考慮して他人の目に入らないＥＶＦ４０４にのみメニュー表示させるようにする。
【００４８】
このリストはカメラ３００内のＭＰＵ３１１内に「表示先情報」として記憶され、それぞれのメニューに対して、「ＥＶＦ表示フラグ」と「ＬＣＤ表示フラグ」という二つのフラグを持たせ、表示させる場合はフラグをセットした状態で記憶する。
【００４９】
フラグのセットについては、一般的にユーザの都合でメニューを増やすことはないため、カメラの開発時に行われることとする。カメラ３００を起動させる時に図６に示すメニュー表示処理を行うことによって、図７や図８のようにそれぞれのメニューをその内容に適した表示装置に表示させることができる。
【００５０】
次に、図６、図７、図８を用いて、カメラ起動時のメニュー表示におけるシーケンスを説明する。
図６は、カメラ起動時のメニュー表示処理のシーケンスの一例を説明するフローチャートである。図７は、本実施の形態において図６のシーケンスに基づくメニュー表示処理中にＬＣＤ４０５がＯＮであった場合のＬＣＤ４０５に実際に表示されるメニューの一例を示す図である。図８は、本実施の形態において図６のシーケンスに基づくメニュー表示処理中にＥＶＦ４０４がＯＮであった場合のＥＶＦ４０４に実際に表示されるメニューの一例を示す図である。
【００５１】
図６において、カメラ起動後、メニューボタンが押下される（ステップＳ６０１）とメニュー表示処理が開始される。次に、ＬＣＤ４０５がＯＮであるかどうかを判断する（ステップＳ６０２）。この判断の結果、ＬＣＤ４０５がＯＮの場合はＭＰＵ３１１に記憶されている表示先情報のうち、ＬＣＤ表示フラグがセットされているメニューをＬＣＤ４０５上に表示する（ステップＳ６０３）。
【００５２】
図５のリストによると、本実施の形態の場合は、
（１）時刻設定、
（２）各種音設定、
（３）画像サイズ・画質の設定、
（４）言語設定、
の４つのメニューが図７で示されるようにＬＣＤ４０５上に表示される。以上でメニュー表示処理を終了する。
【００５３】
また、ステップＳ６０２の判断の結果、ＬＣＤ４０５がＯＦＦの場合はＭＰＵ３１１に記憶されている表示先情報のうち、ＥＶＦ表示フラグがセットされているメニューをＥＶＦ４０４上に表示する（ステップＳ６０４）。
【００５４】
図５のリストによると、本実施の形態の場合は、
（１）時刻設定、
（２）各種音設定、
（３）画像サイズ・画質の設定、
（４）言語設定、
（５）使用者認証用の虹彩登録、
（６）視線入力ＡＦ用の視線キャリブレーション、
（７）再生制限用のパスワード登録、
の７つのメニューが図８で示されるようにＥＶＦ４０４上に表示される。以上でメニュー表示処理を終了する。
【００５５】
以上、第１の実施の形態によれば本発明を用いることにより、メニュー表示時に生体認証の目の虹彩登録、視線入力ＡＦ用の視線キャリブレーション、再生制限解除用のパスワード登録のメニューをＥＶＦ４０４にのみ表示させることができる。
【００５６】
（第２の実施の形態）
第２の実施の形態は、図３、４のように複数の表示装置を備えるカメラにおいて、任意の画像を特定の表示装置に再生表示させる例である。特定の表示装置にしか表示させないということは、特定の表示装置に対する表示を制限するということと同じであるため、任意の画像を特定の表示装置に対して表示を制限する方法について説明する。
【００５７】
第２の実施の形態において、カメラ３００の記憶デバイス３１２には連続番号の名前のついた画像ファイルが１５枚入っていることとし、初期状態では全ての画像がＥＶＦ４０４とＬＣＤ４０５との両方で再生表示可能とする。
【００５８】
これらの画像に対し、ユーザは１〜５番までの画像ファイルについてはＥＶＦ４０４での再生を禁止し、６〜１０番までの画像ファイルについてはＬＣＤ４０５での再生を禁止し、１０〜１５番までの画像ファイルについては通常通りＥＶＦ４０４とＬＣＤ４０５との両方で再生表示させるように変更するとする。
【００５９】
まずユーザは、特定の表示装置にのみ表示させる１〜１０番の画像ファイルについて、再生制限設定を行う。図９は、本実施の形態における１枚の画像に対する再生制限の設定方法の一例を示すフローチャートである。また、図１０は、本実施の形態における図９のシーケンスに基づいたＵＩ画面の一例を示す図である。
【００６０】
また、図１１は、本実施の形態における、再生制限設定前、１〜５番の画像の再生制限設定後、１〜１０番の画像の再生制限設定後のＭＰＵ３１１内に記憶されるそれぞれの画像再生表示先情報の一例を示す図である。記憶デバイス３１２内に記憶している画像がどの表示装置に対して表示可能かどうかを把握するため、カメラ３００のＭＰＵ３１１に画像表示先情報を記憶する。
【００６１】
図１１において、画像再生表示先情報には記憶デバイス３１２内に記憶された画像それぞれに対し、「ＥＶＦ再生表示フラグ」と「ＬＣＤ再生表示フラグ」とを備える。図１１中の「○」はフラグがセットされていることを示し、空欄はフラグがクリアされていることを示す。本実施の形態の場合、初期状態ではすべての画像がＥＶＦ４０４とＬＣＤ４０５と両方で再生表示可能であるから、すべての画像のＥＶＦ／ＬＣＤ再生表示フラグがセットされている状態になっている。
【００６２】
次に、図９、図１０、図１１を用いて、再生制限設定方法について説明する。
図９において、最初に、再生モードで再生制限設定を行う画像を選択する（ステップＳ９０１）。
【００６３】
次に、メニューボタンを押下して（ステップＳ９０２）、再生制限設定メニューを選択する（ステップＳ９０３）。これにより、図１０（ａ）に示す第１のＵＩ画面Ａ０１が、図１０（ｂ）に示す第２のＵＩ画面Ａ０２へ変わる。次に、ユーザは第２のＵＩ画面Ａ０２において「ＥＶＦ再生禁止」または「ＬＣＤ再生禁止」または「ＥＶＦ＆ＬＣＤ再生禁止」または「再生禁止解除」を選択する（ステップＳ９０４）。
【００６４】
次にステップＳ９０４でユーザが「ＥＶＦ再生禁止」または「ＥＶＦ＆ＬＣＤ再生禁止」を選択したかどうかをチェックする（ステップＳ９０５）。このチェックの結果、「ＥＶＦ再生禁止」または「ＥＶＦ＆ＬＣＤ再生禁止」を選択した場合はカメラ３００のＭＰＵ３１１に記憶されている画像表示先情報中の該当画像のＥＶＦ再生表示フラグをクリアする（ステップＳ９０６）。また、ステップＳ９０５のチェックの結果、「ＥＶＦ再生禁止」も「ＥＶＦ＆ＬＣＤ再生禁止」も選択しなかった場合は、ステップＳ９０７の処理にジャンプする。
【００６５】
本実施の形態の場合は、１〜５番までの画像に対して、ユーザはステップＳ９０４にて「ＥＶＦ再生禁止」を選択するため、ステップＳ９０６で１〜５番までの画像のＥＶＦ再生表示フラグをクリアする。よって、１〜５番までの再生制限設定が完了するとカメラ３００のＭＰＵ３１１に記憶している画像表示先情報は図１１（ａ）に示す画像を再生する表示先情報Ｂ０１から図１１（ｂ）に示す画像を再生する表示先情報Ｂ０２へと変わる。
【００６６】
次に、ステップＳ９０４でユーザが「ＬＣＤ再生禁止」または「ＥＶＦ＆ＬＣＤ 再生禁止」を選択したかどうかをチェックする（ステップＳ９０７）。このチェックの結果、「ＬＣＤ再生禁止」または「ＥＶＦ＆ＬＣＤ 再生禁止」を選択した場合はカメラ３００のＭＰＵ３１１に記憶されている画像表示先情報中の該当画像のＬＣＤ再生表示フラグをクリアする（ステップＳ９０８）。また、ステップＳ９０７のチェックの結果、「ＬＣＤ再生禁止」も「ＥＶＦ＆ＬＣＤ 再生禁止」も選択しなかった場合はステップＳ９０９の処理にジャンプする。
【００６７】
本実施の形態の場合は、６〜１０番までの画像に対してユーザはステップＳ９０４にて「ＬＣＤ再生禁止」を選択するため、ステップＳ９０８で６〜１０番までの画像のＬＣＤ再生表示フラグをクリアする。よって、６〜１０番までの再生制限設定が完了するとカメラ３００のＭＰＵ３１１に記憶している画像表示先情報は図１１（ｂ）に示す画像を再生する表示先情報Ｂ０２から図１１（ｃ）に示す画像を再生する表示先情報Ｂ０３へと変わる。
【００６８】
次にステップＳ９０４でユーザが「再生禁止解除」を選択したかどうかをチェックする（ステップＳ９０９）。このチェックの結果、「再生禁止解除」を選択した場合は８１０にてカメラ３００のＭＰＵ３１１に記憶されている画像表示先情報中の該当画像のＥＶＦ／ＬＣＤ再生表示フラグ両方をセットする（ステップＳ９１０）。
【００６９】
以後はＥＶＦ４０４とＬＣＤ４０５と両方で再生表示可能になる。また、ステップＳ９０９のチェックの結果、「再生禁止解除」を選択しなかった場合は、ＥＶＦ／ＬＣＤ再生表示フラグがそのままの状態で処理は終了する。
【００７０】
次に再生制限設定後の再生表示方法を図１２のフローチャートを用いて説明する。図１２は、本実施の形態において、画像を再生制限設定した状態における再生表示方法を示すフローチャートである。
【００７１】
図１２において、カメラ起動後、再生用ボタンが押下されると（ステップＳ１２０１）、ＬＣＤ４０５がＯＮになっているかどうかをチェックする（ステップＳ１２０２）。このチェックの結果、ＬＣＤ４０５がＯＮである場合はカメラ３００のＭＰＵ３１１内に記憶されている画像表示先情報の中の画像のうち、ＬＣＤ再生表示フラグがセットされている画像がＬＣＤ４０５上に再生表示される（ステップＳ１２０３）。
【００７２】
具体的には、ファイル名の順列で一番目の画像がＬＣＤ４０５上に表示され、ユーザは「送り」ボタン等を押すなどして、ＬＣＤ再生表示フラグがセットされている画像を順にＬＣＤ４０５上に再生表示することができる。本実施の形態の場合は、ＬＣＤ再生表示フラグがセットされている１〜５番と１１〜１５番の画像がＬＣＤ４０５上で再生表示可能となる。
【００７３】
また、ステップＳ１２０２のチェックの結果、ＬＣＤ４０５がＯＦＦの場合はＥＶＦ４０４がＯＮになっているかどうかをチェックする（ステップＳ１２０４）。このチェックの結果、ＥＶＦ４０４がＯＮの場合はカメラ３００のＭＰＵ３１１内に記憶されている画像表示先情報の中の画像のうち、ＥＶＦ再生表示フラグがセットされている画像がＥＶＦ４０４上に再生表示される（ステップＳ１２０５）。
【００７４】
具体的には、ファイル名の順列で一番目の画像がＥＶＦ４０４上に表示され、ユーザは「送り」ボタン等を押すなどして、ＥＶＦ再生表示フラグがセットされている画像を順にＥＶＦ４０４上に再生表示することができる。本実施の形態の場合、ＥＶＦ再生表示フラグがセットされている５〜１５番の画像がＥＶＦ４０４上で再生表示可能となる。
【００７５】
（第３の実施の形態）
第３の実施の形態は、図３及び図４のように、複数の表示装置を備えるカメラにおいて、以後に撮影する画像を特定の表示装置に再生表示させる例である。
【００７６】
図１３は、本実施の形態における、今後撮影する画像に対する再生表示先の選択における設定方法の一例を示すフローチャートである。また、図１４は、図１３のフローチャートに基づいたＵＩ画面の一例を示す図である。また、図１５は、本実施の形態における、撮影前、５枚目までの撮影後、１０枚目までの撮影後のＭＰＵ３１１に記憶される画像再生表示先情報の一例を示す図である。
【００７７】
第２の実施の形態同様に、記憶デバイス３１２内に記憶している画像がどの表示装置に対して表示可能かどうかを把握するため、カメラ３００のＭＰＵ３１１に画像表示先情報を記憶する。図１５に示すように画像再生表示先情報には記憶デバイス３１２内に記憶された画像それぞれに対し、「ＥＶＦ再生表示フラグ」と「ＬＣＤ再生表示フラグ」とを備える。図１５中の「○」はフラグがセットされていることを示し、空欄はフラグがクリアされていることを示す。
【００７８】
次に図１３、図１４、図１５を用いて、撮影画像の再生制限設定方法について説明する。
図１３において、最初に、撮影モードでメニューボタンを押下する（ステップＳ１３０１）。次に、撮影画像再生制限設定メニューを選択する（ステップＳ１３０２）。これにより、図１４（ａ）に示す第１のＵＩ画面Ｅ０１が、図１４（ｂ）に示す第２のＵＩ画面Ｅ０２へ変わる。
【００７９】
次に、ユーザは第２のＵＩ画面Ｅ０２において、「撮影画像ＥＶＦ再生禁止」または「撮影画像ＬＣＤ再生禁止」または「撮影画像ＥＶＦ＆ＬＣＤ再生禁止」または「撮影画像再生禁止解除」を選択する（ステップＳ１３０３）。
【００８０】
次に、ステップＳ１３０３でユーザが「撮影画像ＥＶＦ再生禁止」または「撮影画像ＥＶＦ＆ＬＣＤ再生禁止」を選択したかどうかをチェックする（ステップＳ１３０４）。このチェックの結果、「撮影画像ＥＶＦ再生禁止」または「撮影画像ＥＶＦ＆ＬＣＤ再生禁止」を選択した場合は、ＭＰＵ３１１に記憶している画像表示先情報中のＥＶＦ再生表示フラグを、以後に撮影する画像に対して自動的にクリアする処理をＭＰＵ３１１内の撮影画像処理に追加する（ステップＳ１３０５）。また、ステップＳ１３０４のチェックの結果、「撮影画像ＥＶＦ再生禁止」も「撮影画像ＥＶＦ＆ＬＣＤ再生禁止」も選択しなかった場合は、ステップＳ１３０６の処理にジャンプする。
【００８１】
次に、ステップＳ１３０３でユーザが「撮影画像ＬＣＤ再生禁止」または「撮影画像ＥＶＦ＆ＬＣＤ再生禁止」を選択したかどうかをチェックする（ステップＳ１３０６）。このチェックの結果、「撮影画像ＬＣＤ再生禁止」または「撮影画像ＥＶＦ＆ＬＣＤ再生禁止」を選択した場合は、ＭＰＵ３１１に記憶している画像表示先情報中のＬＣＤ再生表示フラグを、以後に撮影する画像に対して自動的にクリアする処理をＭＰＵ３１１内の撮影画像処理に追加する（ステップＳ１３０７）。また、ステップＳ１３０６のチェックの結果、「撮影画像ＬＣＤ再生禁止」も「撮影画像ＥＶＦ＆ＬＣＤ再生禁止」も選択しなかった場合は、ステップＳ１３０８の処理にジャンプする。
【００８２】
次に、ステップＳ１３０３でユーザが「撮影画像再生禁止解除」を選択したかどうかをチェックする（ステップＳ１３０８）。このチェックの結果、「撮影画像再生禁止解除」を選択した場合は、ＭＰＵ３１１内の撮影画像処理にＥＶＦもしくはＬＣＤ再生表示フラグを自動的にクリアする処理が追加されていれば、ＥＶＦもしくはＬＣＤ再生表示フラグを自動的にクリアする処理を撮影画像処理から削除する（ステップＳ１３０９）。
【００８３】
これにより、以後に撮影する画像はＥＶＦ４０４とＬＣＤ４０５と両方で再生表示可能となる。また、ステップＳ１３０８のチェックの結果、「撮影画像再生禁止解除」を選択しなかった場合は、ＥＶＦ／ＬＣＤ再生表示フラグを自動的にクリアする処理がそのまま残った状態で処理は終了する。
【００８４】
本実施の形態においては、カメラ３００の記憶デバイス３１２内に画像が一枚も記憶されていない状態で、以後に撮影する画像をＥＶＦ４０４にのみ再生表示するように設定した後で５枚撮影を行い、その後撮影する画像の再生制限を解除した後、さらに５枚撮影をする。この場合、まずは図１３のフローチャートに従って撮影する画像のＬＣＤ４０５への再生表示を制限するように設定を行う。
【００８５】
図１３のフローチャートに従うと、ステップＳ１３０２にてユーザが「撮影画像再生制限登録メニュー」を選択すると、図１４（ａ）に示す第１のＵＩ画面Ｅ０１が、図１４（ｂ）に示す第２のＵＩ画面Ｅ０２に変わる。ステップＳ１３０３にてユーザは「撮影画像ＬＣＤ再生禁止」を選択する。
【００８６】
これにより、ステップＳ１３０７にて以後に撮影する画像に対するＭＰＵ３１１に記憶している画像表示先情報中のＬＣＤ再生表示フラグを自動的にクリアする処理をＭＰＵ３１１内の撮影画像処理に追加し、図１３のフローチャートを終了する。
【００８７】
次に、５枚の撮影を行うが、撮影前のＭＰＵ３１１に記憶している画像表示先情報は、記憶デバイス３１２に一枚も画像がない状態なので、図１５（ａ）に示すように、このときの画像を再生する表示先情報Ｆ０１は初期状態になっている。
【００８８】
以上の処理を行った後に、１枚目の撮影を行うと、ＭＰＵ３１１内の撮影画像処理にＭＰＵ３１１に記憶している画像表示先情報中のＬＣＤ再生表示フラグを自動的にクリアする処理が追加されているため、画像表示先情報中の撮影された画像のＬＣＤ再生表示フラグはクリアされ、ＥＶＦ再生表示フラグだけがセットされる。
【００８９】
よって、撮影直後の一時再生表示はＥＶＦ４０４でのみ行うことができる。同様に２枚目から５枚目の撮影を行う。５枚撮影後のＭＰＵ３１１に記憶している画像表示先情報は、図１５（ｂ）に示すように、このときは画像を再生する表示先情報Ｆ０２の状態になっている。
【００９０】
次に、図１３のフローチャートに従って、撮影する画像のＬＣＤ４０５への再生表示制限の解除処理を行う。図１３において、ステップＳ１３０２にてユーザが「撮影画像再生制限登録メニュー」を選択すると、図１４に示すＵＩ画面は画面Ｅ０１から画面Ｅ０２に変わる。ステップＳ１３０３にてユーザは「撮影画像再生禁止解除」を選択する。これにより、ステップＳ１３０９にてＭＰＵ３１１に記憶している画像表示先情報中のＬＣＤ再生表示フラグを自動的にクリアする処理を削除し、図１３のフローチャートを終了する。
【００９１】
以上の解除処理を行った後、６枚目の撮影を行うと、ＬＣＤ４０５への再生表示制限が解除されているため、画像表示先情報中の撮影された画像のＥＶＦ４０４とＬＣＤ４０５と両方の再生表示フラグがセットされる。よって、撮影直後の一時再生表示はＥＶＦ４０４とＬＣＤ４０５との両方で行うことができる。同様に７枚目から１０枚目の撮影を行う。
【００９２】
１０枚目撮影後のＭＰＵ３１１に記憶している画像表示先情報は、図１５（ｃ）に示すように、この場合は画像を再生する表示先情報Ｆ０３の状態になっている。１０枚の撮影を完了し、カメラ３００を再生モードにして撮影した１０枚の画像を再生させると、第２の実施の形態と同様に図１２の再生表示処理によって、撮影した１枚目から５枚目の画像はＥＶＦ４０４のみに再生表示され、６枚目から１０枚目の画像はＥＶＦ４０４とＬＣＤ４０５との両方に再生表示される。
【００９３】
以上のように、再生表示先の指定が、撮影前にも設定することができるため撮影後に一枚ずつ毎回表示先を設定する必要がなくなる。
【００９４】
（第４の実施の形態）
第４の実施の形態は、図３、４のように複数の表示装置を備えるカメラにおいて、撮影直後の一時再生表示中に、特定の表示装置に再生表示させる設定を行う例である。
【００９５】
本実施の形態では、撮影した画像の一時再生表示中に、メニューボタンを押下すれば、図９のフローチャートにおけるステップＳ９０２以降のステップと同様な手順で設定を行うことができる。さらに図１２のフローチャートと同様の手順で一時再生表示中に選択した表示装置で撮影した画像を再生表示させることができる。
【００９６】
（本発明に係る他の実施の形態）
前述した本発明の実施の形態における撮像再生装置を構成する各手段、並びに画像及びメニューの表示方法の各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００９７】
また、本発明は、例えば、システム、装置、方法、プログラムもしくは記録媒体等としての実施の形態も可能であり、具体的には、複数の機器から構成されるシステムに適用してもよいし、また、一つの機器からなる装置に適用してもよい。
【００９８】
なお、本発明は、前述した実施の形態の機能を実現するソフトウェアのプログラム（実施の形態では図１、図２、図６、図９、図１２、図１３に示すフローチャートに対応したプログラム）を、システムあるいは装置に直接、あるいは遠隔から供給し、そのシステムあるいは装置のコンピュータが前記供給されたプログラムコードを読み出して実行することによっても達成される場合を含む。
【００９９】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１００】
その場合、プログラムの機能を有していれば、オブジェクトコード、インタプリタにより実行されるプログラム、ＯＳに供給するスクリプトデータ等の形態であっても良い。
【０１０１】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などがある。
【０１０２】
その他、プログラムの供給方法としては、クライアントコンピュータのブラウザを用いてインターネットのホームページに接続し、前記ホームページから本発明のコンピュータプログラムそのもの、もしくは圧縮され自動インストール機能を含むファイルをハードディスク等の記録媒体にダウンロードすることによっても供給できる。
【０１０３】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１０４】
また、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１０５】
また、コンピュータが、読み出したプログラムを実行することによって、前述した実施の形態の機能が実現される他、そのプログラムの指示に基づき、コンピュータ上で稼動しているＯＳなどが、実際の処理の一部または全部を行い、その処理によっても前述した実施の形態の機能が実現され得る。
【０１０６】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施の形態の機能が実現される。
【図面の簡単な説明】
【０１０７】
【図１】本発明の第１の実施の形態によるメニュー表示方法を示すフローチャートである。
【図２】本発明の第１の実施の形態による画像再生方法を示すフローチャートである。
【図３】本発明の第１の実施の形態におけるカメラの内部構成を示す図である。
【図４】本発明の第１の実施の形態におけるカメラの外見的構成を示す図である。
【図５】本発明の第１の実施の形態におけるメニュー表示先リストの一例を示す図である。
【図６】本発明の第１の実施の形態におけるメニュー表示先設定方法を示すフローチャートである。
【図７】本発明の第１の実施の形態における図６のシーケンスに基づくメニュー表示処理終了後のＬＣＤに実際に表示されるメニューの一例を示す図である。
【図８】本発明の第１の実施の形態における図６のシーケンスに基づくメニュー表示処理終了後のＥＶＦに実際に表示されるメニューの一例を示す図である。
【図９】本発明の第２の実施の形態における１枚の画像に対する再生制限設定シーケンスを説明するフローチャートである。
【図１０】本発明の第２の実施の形態における図９のシーケンス処理中のＵＩ上画面の一例を示す図である。
【図１１】本発明の第２の実施の形態における再生制限設定前の初期状態と１〜５番の画像の再生制限設定後と１〜１０番の画像の再生制限設定後の画像再生表示先情報の一例を示す図である。
【図１２】本発明の第２の実施の形態における再生制限設定後の再生表示方法を示すシーケンスを説明するフローチャートである。
【図１３】本発明の第３の実施の形態における撮影する画像の再生表示先の選択を設定するシーケンスを説明するフローチャートである。
【図１４】本発明の第３の実施の形態における図１３のシーケンス処理中のＵＩ上画面の一例を示す図である。
【図１５】本発明の第３の実施の形態における撮影前の初期状態と、５枚目までの撮影後と、１０枚目までの撮影後の画像を再生する表示先情報の一例を示す図である。
【符号の説明】
【０１０８】
３００  カメラ
３０１  撮像部
３０２  Ａ／Ｄ
３０３  信号処理回路
３０４  バス
３０５  圧縮回路
３０６  メモリ
３０７  第１の表示部
３０８  第２の表示部
３０９  バス
３１０  操作部
３１１  ＭＰＵ
３１２  記憶デバイス
３１３  通信用Ｉ／Ｆ
３１４  伝送路
３１５  外部情報機器
４０１  カメラ
４０２  鏡筒
４０３  シャッターボタン
４０４  電子ビューファインダー（ＥＶＦ）
４０５  液晶ディスプレイ（ＬＣＤ）
４０６  十字操作キー
４０７  メニューボタン
４０８  再生ボタン
４０９  第１のＯＮ／ＯＦＦボタン
４１０  第２のＯＮ／ＯＦＦボタン
【図１】
2006295491.tif 000003
【図２】
2006295491.tif 000004
【図３】
2006295491.tif 000005
【図４】
2006295491.tif 000006
【図５】
2006295491.tif 000007
【図６】
2006295491.tif 000008
【図７】
2006295491.tif 000009
【図８】
2006295491.tif 000010
【図９】
2006295491.tif 000011
【図１０】
2006295491.tif 000012
【図１１】
2006295491.tif 000013
【図１２】
2006295491.tif 000014
【図１３】
2006295491.tif 000015
【図１４】
2006295491.tif 000016
【図１５】
2006295491.tif 000017